(57)【要約】【課題】バネを設置することにより、使用者の運動効率及び快適性を向上し、さらに靴により優れた運動効果をもたせるという目的を達することのできる靴の構造の提供。【解決手段】本考案の靴の構造は、バネを設けて使用者の運動効率及び着用時の快適性を向上するものであり、本考案においては、複数のバネを靴の底部内に設置し、バネそのものが圧力を受けると圧縮し、圧力が解除されると伸張する特性を備えているため、足で地面を踏むときの反作用力を緩衝し、使用者の足を保護すると共に、バネの圧力が解除され伸張するときに生まれる反発力で使用者がより速く走ったりより遠くまで跳んだりできるようその運動を補助し、同時に使用者の足をマッサージすることで、着用時の快適性を増加することができる。さらに、前記靴底部の上面に通気孔を設け、靴内の空気を使用者の歩行に伴って循環させ、使用者の足がきれいな環境で活動できるようにする。【選択図】図１
0003124435.tif 000002
【実用新案登録請求の範囲】
【請求項１】
底部と、甲被と、少なくとも１つの弾性部材と、を含む靴であって、そのうち、前記底部は中空の少なくとも１つの収容空間を備え、前記靴を着用すると前記底部の支持面と足の裏が接触し、前記甲被は前記底部と接合され、一部が前記支持面を覆い、前記甲被は前記靴を着用すると適切に足の甲を覆い、前記少なくとも１つの弾性部材は前記底部の前記収容空間内に設置される、靴の構造。
【請求項２】
前記底部の前記収容空間の相対する両側に上面及び底面が設けられ、前記上面が前記支持面の背面に位置し、前記上面と前記底面に少なくとも１つの凹部がそれぞれ設けられ、前記弾性部材の両端が前記上面及び底面の前記凹部に嵌置される、請求項１に記載の靴の構造。
【請求項３】
前記弾性部材がバネである、請求項１に記載の靴の構造。
【請求項４】
前記バネの材料が炭素鋼または炭素繊維である、請求項３に記載の靴の構造。
【請求項５】
前記バネが線径１．０ミリメートル〜３．５ミリメートル、ピッチ１．０ミリメートル〜３０．０ミリメートル、直径１０．０ミリメートル〜５０．０ミリメートル、高さ１０．０ミリメートル〜５０．０ミリメートルの範囲である、請求項３に記載の靴の構造。
【請求項６】
前記バネが、線径２．５ミリメートル、ピッチ２０．０ミリメートル、直径３０．０ミリメートル、高さ３０．０ミリメートルを最適とする、請求項３に記載の靴の構造。
【請求項７】
前記底部の前記上面に少なくとも１つの貫通孔を設け、気体の流動に用いる、請求項２に記載の靴の構造。
【請求項８】
前記貫通孔が円形通気孔または細長い形状の通気孔である、請求項７に記載の靴の構造。
【請求項９】
前記円形通気孔が直径１．０ミリメートル〜５．０ミリメートル、ピッチ５．０ミリメートル〜５０．０ミリメートルの範囲である、請求項８に記載の靴の構造。
【請求項１０】
前記円形通気孔が直径３．０ミリメートル及びピッチ２０．０ミリメートルを最適とする、請求項８に記載の靴の構造。
【考案の詳細な説明】
【技術分野】
【０００１】
本考案は靴の構造に関し、詳細には、弾性部材を設け使用者の運動効率及び着用時の快適性を向上する、靴の構造に関する。
【背景技術】
【０００２】
靴は人々の生活の必需品であり、一般の人々にとって言えば、靴を履くことで足を快適にすると同時に地面の汚れや異物、突出物が足を汚したり傷つけたりするのを防ぐことができ、運動選手にとって言えば、足に靴を履くことは上述の機能だけでなく、靴がそれ以上の補助を提供することを希望しており、例えばマラソン選手、高跳び選手、幅跳び選手及びバスケットボール選手等は、より速く走ったり、より高く、より遠く跳んだりすることを可能にする靴を求めている。
【０００３】
従来の靴は快適性のための設計として足底と靴の間に柔らかいパッドを設けて使用者が着用するときの快適性を向上したり、靴の中底内にエアクッションを設けて足が地面を踏むときに生まれる反作用力を緩衝し、この力の足に対するダメージを抑え、使用者の足を保護したり、またエチレン・酸化ビニル共重合体（ＥＶＡ）、ポリウレタン（ＰＵ）、熱可塑性樹脂（ＴＰＲ）或いは熱可塑性ポリウレタン（ＴＰＵ）などの材料を用いて形成した靴の中底でエアクッションの機能を代替し同じ目的を達するものもある。従来の靴においてその地面に対するグリップ力の設計は靴底のスタッドの粗さを増加して靴により大きな地面に対するグリップ力を与え、使用者がより速く走ったり、より遠く、高く跳んだりすることを可能にしている。
【０００４】
従来の靴はソフトパッドやエアクッション及びエチレン・酸化ビニル共重合体（ＥＶＡ）、ポリウレタン（ＰＵ）、熱可塑性樹脂（ＴＰＲ）或いは熱塑性ポリウレタン（ＴＰＵ）材料で形成した靴中底で着用時の快適性を向上しているが、それらはただ足が地面を踏むときに生まれる反作用力を緩衝することのみで、この力を減少して足に対する傷害を回避しており、このほか、靴底のスタッドの粗さを増加してより大きな地面に対するグリップ力を得、走る速度及び跳ぶ高さの増加を図っているが、人々の靴に対する要求が高まるにつれ、靴に対し上述の機能を求めるだけでなく、より優れた運動効果を求めるようになってきている。
【０００５】
このため、靴に快適性と高いグリップ力を持たせるだけでなく、より優れた運動効果を持たせた靴の構造をいかに提供するかが、本考案が積極的に解決する問題点である。
【考案の開示】
【考案が解決しようとする課題】
【０００６】
上述の従来の靴の構造の欠点に鑑みて、本考案の考案者はその不完全さに感じ入り、関連産業における長年の経験に基づき研究を重ね、ついに快適さとグリップ力を備えているだけでなく、より優れた運動効果を得るという目的を達することができる靴の構造の開発に至ったものである。
【０００７】
本考案の主な目的は、バネを設置することにより、使用者の運動効率及び快適性を向上し、さらに靴により優れた運動効果をもたせるという目的を達することのできる靴の構造を提供することにある。
【課題を解決するための手段】
【０００８】
上述の目的を達するため、本考案の靴の構造は、底部、前記底部に接合された甲被、前記底部の前記収容空間内に包み込まれた少なくとも１つの弾性部材を含み、そのうち、前記底部は少なくとも１つの中空の収容空間を備え、靴を着用しているとき前記底部の支持面と足の裏が接触し、前記甲被はその一部が前記支持面を覆い、前記甲被は靴の着用時に適切に足の甲を包み込むことができる。これにより、使用者の運動効率及び快適性を向上し、靴により優れた運動効果を持たせることができる。
【考案を実施するための最良の形態】
【０００９】
以下、本考案の目的、特徴及び効果についてより理解を促すため、具体的な実施例と図面に基づき、詳細に説明する。
【００１０】
図１から図４に本考案の最良の実施例の立体分解図、立体透視図、側面図及び実施例２の立体分解図をそれぞれ示す。図に示すように、本考案の靴の構造は、甲被１、底部２及び複数の弾性部材とするバネ３を含む。底部２内には中空の収容空間２５が設けられ、靴をはくと底部２の支持面２６と足の裏が接触し、この支持面２６には足の裏と接触する中敷（図には示さない）を設けることができ、前記甲被１は底部２と接合され、且つ一部が前記支持面２６を覆い、前記甲被１は靴を着用すると適切に足の甲を包み込み、前記底部２は収容空間２５の相対する両側に上面２１及び底面２２を備え、前記上面２１が前記支持面２６の背面に位置し、前記上面２１及び底面２２には複数の凹部２３が設けられ、且つ、前記上面２１の各凹部２３の位置は前記底面２２の各凹部２３の位置にそれぞれ対応し、前記バネ３は炭素鋼などの金属材料から成り（炭素繊維などの非金属材料から製作してもよい）、前記バネ３が前記底部２の収容空間２５内に敷き詰められ、前記バネ３の両端が前記上面２１及び底面２２の凹部２３にそれぞれ嵌置され、バネ３の作動時に偏移するのを防ぐ。
【００１１】
前記バネ３は弾性部材であるため、圧力を受けると変形して衝撃力を吸収する。このため、前記バネ３を靴の底部２内に設置することで、足が地面を踏むときに生まれる反作用力を緩衝し、その足に対するダメージを減少して使用者の足を保護することができる。このほか、バネ３の圧力が解除されると、その回復特性により、バネ３が反発力を加え、この力が使用者の走る速度や跳ぶ高さを増加する助けとなり、使用者の運動効率を向上することができる。さらに、反発力が使用者の足裏に対してマッサージを行うこともでき、使用者の着用時の快適性を向上する。
【００１２】
前記バネ３の特性は主にその線径、ピッチ、直径及び高さにより決定され、いずれかの性質を変えることでバネ３の特性を変えることができ、本考案においてはバネ３の線径が１．０ミリメートル〜３．５ミリメートル、ピッチが１．０ミリメートル〜３０．０ミリメートル、直径が１０．０ミリメートル〜５０．０ミリメートル及び高さが１０．０ミリメートル〜５０．０ミリメートルとする。そのうち、線径が２．５ミリメートル、ピッチが２０．０ミリメートル、直径が３０．０ミリメートル及び高さが３０．０ミリメートルとしたものを最適とし、本考案はこの最適なバネ３を用いて使用者のジョギング及び高跳びの試験を行い、その結果を表１及び表２にそれぞれ記録した。表１のＡ、Ｂ、Ｃ、Ｄ、Ｅ、Ｆの６名の使用者の身長及び体重はそれぞれ１８４センチメートル及び６３キログラム、１８５センチメートル及び６９キログラム、１７４センチメートル及び６８キログラム、１８１センチメートル及び６８キログラム、１６６センチメートル及び６３キログラム、１７３センチメートル及び６５キログラムである。表１に示すように、これら６名の使用者が本考案のバネを設けた靴を着用して１００メートル走の試験を行い、その平均成績は、それぞれ０．５５秒、０．７１秒、０．７８秒、０．７４秒、０．６５秒、０．６２秒の進歩があった。このため、これら６名の使用者の平均体重を６６キログラムとし、その成績の進歩が平均０．６７５秒であったとすることができる。表２のＢ、Ｃ、Ｄの３名の使用者の身長及び体重は上述の通りであり、表２に示すように、これら３名の使用者が本考案のバネを設けた靴を着用して高跳びの試験を行い、その平均成績はそれぞれ６．５センチメートル、５．０センチメートル及び４．２５センチメートルの進歩があった。このため、これら３名の使用者の平均体重を６８．３３キログラムとし、その成績の進歩が平均５．２５センチメートルであったとすることができる。このため、本考案のバネを設けた靴を着用すると、使用者の運動効率を向上させることが分かる。現在１００メートル走の世界記録保持者であるジャマイカの選手パウエルの記録が９’７７秒であるが、将来本考案のバネを設けた靴を着用することがあれば、世界記録を９秒以内に短縮することもあり得る。
【００１３】
【表１】
0003124435.tif 000003
【表２】
0003124435.tif 000004
【００１４】
上述の最適なバネ３の支持力は２５キログラム／個であり、１つの靴に１２個のバネ３を通気孔を通じて通気可能に設ければ３００キログラムの支持力となり、一足の靴で６００キログラムの支持力となるため、体重がこの範囲にある使用者の足は皆バネ３の保護を受けることができ、足が地面を踏むときに発生する反作用力を緩衝し、その足に対するダメージを低減できる。
【００１５】
バネ３を靴の底部２内に通気孔を通じて通気可能に設けることで足を保護することができるほか、靴の底部２の上面２１に貫通状の円形通気孔２４（長細い形状の通気孔としてもよい）を設置し、靴内の空気に流動を生み、足が運動による発汗で発生する臭いに包み込まれるのを防ぎ、使用者の足をきれいな環境で活動させることができる。図５及び図６に本考案の応用実施例の地面を踏んだ状態の側面図及び足を持ち上げた状態の側面図をそれぞれ示す。これらの図に示すように、使用者の足が地面を踏むと、バネ３が圧縮され、収容空間２５が小さくなり、収容空間２５内の空気が円形通気孔２４から排出され、甲被１内の空気を流動させ、臭気を靴の外へと排出する。使用者が足を持ち上げると、バネ３が伸張し、収容空間２５が大きくなって収容空間２５に吸気機能が生まれ、外界のきれいな空気が円形通気孔２４から甲被１及び収容空間２５内に吸入され、このように反覆動作で靴内の空気に循環を生み、使用者の足がきれいな環境で活動することを可能にする。本考案において円形通気孔２４の直径は１．０ミリメートル〜５．０ミリメートルとし、相互間のピッチは５．０ミリメートル〜５０．０ミリメートルとし、そのうち、直径が３．０ミリメートル、ピッチが２０．０ミリメートルを最適とする。本考案はこの最適な円形通気孔２４を配置し、上述の最適なバネ３及び断面積２００平方センチメートルと体積６００立方センチメートルの靴の底部２の収容空間２５を用い、体重７０キログラム、靴のサイズ１０．５号の使用者に対し空気流通量の試験を行った。バネ３が１センチメートル圧縮または伸張すると、その空気流量は２００平方センチメートル／靴  ×  １センチメートル  ＝  ２００立方センチメートル／靴、となる。さらに、上述の靴の構造のほか、その他異なる靴製品に実施することもでき、図７及び図８に本考案の男性用靴の実施例図及び女性用靴の実施例図をそれぞれ示す。軟性材質のヒール４内に中空の収容空間４５を設けてもよく、且つ、バネ３をヒール４の収容空間４５内に敷き詰め、ヒール４上部に通気孔４６を設け、使用者の着用時の快適性を向上させることができる。
【００１６】
上述のように、本考案は実用新案登録の３要件である新規性、進歩性及び産業上の利用可能性を備えており、新規性と進歩性について言えば、本考案はバネを靴底部の内部に設置することで、使用者の運動効率及び快適性を向上し、靴により優れた運動機能を持たせることができる。産業上の利用可能性について言えば、本考案を利用して派生する製品は、充分に現在の市場のニーズを満たすことができる。
【図面の簡単な説明】
【００１７】
【図１】本考案の最良の実施例の立体分解図である。
【図２】本考案の最良の実施例の立体透視図である。
【図３】本考案の最良の実施例の側面図である。
【図４】本考案の実施例２の立体分解図である。
【図５】本考案の実施例の地面を踏んだ状態の側面図である。
【図６】本考案の実施例の足を持ち上げた状態の側面図である。
【図７】本考案を利用した男性用靴の実施例を示す側面図である。
【図８】本考案を利用した女性用靴の実施例を示す側面図である。
【符号の説明】
【００１８】
１  甲被
２  底部
３  バネ
４  ヒール
２１  上面
２２  底面
２３  凹部
２４  通気孔
２５  収容空間
２６  支持面
４５  収容空間
４６  通気孔
【図１】
0003124435.tif 000005
【図２】
0003124435.tif 000006
【図３】
0003124435.tif 000007
【図４】
0003124435.tif 000008
【図５】
0003124435.tif 000009
【図６】
0003124435.tif 000010
【図７】
0003124435.tif 000011
【図８】
0003124435.tif 000012